(57)【要約】【課題】小型、軽量なストッパー機能付き蝶番を提供すること。【解決手段】一側部に筒状部１１，２１を有する第１及び第２蝶板１０，２０と、第１及び第２蝶板１０，２０の筒状部１１，２１に挿通された軸体３０と、を備えた蝶番。軸体３０には復帰用板バネ４０が巻装され、その一端部が軸体３０に係着され、その他端部が第１蝶板１０に係着される。第１蝶板１０の筒状部１１には押圧手段５０が取り付けられ、軸体３０の周面には係合凹部６０が設けられ、第１蝶板１０を第２蝶板２０に対して所定開放角度位置に位置付けると、押圧手段５０の一部が軸体３０の係合凹部６０に係合し、これによって、第１蝶板１０が上記所定開放角度位置に保持される。【選択図】　　　図１
2004108110.tif 000002
【特許請求の範囲】
【請求項１】
一側部に筒状部を有する第１及び第２蝶板と、前記第１及び第２蝶板の前記筒状部に挿通された軸体と、を備えた蝶番において、
前記軸体には復帰用板バネが巻装され、前記復帰用バネの一端部が前記軸体に係着され、その他端部が前記第１蝶板に係着されており、
前記第１蝶板の前記筒状部には押圧手段が取り付けられ、前記押圧手段は常時前記軸体の周面方向に弾力的に押圧され、また前記軸体の周面には係合凹部が設けられており、
前記第１蝶板を前記第２蝶板に対して所定開放角度位置に位置付けると、前記押圧手段の一部が前記軸体の前記係合凹部に係合し、これによって、前記第１蝶板が前記所定開放角度位置に保持されることを特徴とするストッパー機能付き蝶番。
【請求項２】
前記押圧手段は、前記係合凹部に嵌り込むボールと、前記ボールを前記軸体の周面方向に弾性的に押圧する押圧スプリングと、前記押圧スプリングの弾性力を調整する調整ネジと、を含むことを特徴とする請求項１に記載のストッパー機能付き蝶番。
【請求項３】
前記軸体には、その周方向に間隔をおいて複数個の取付穴が設けられ、前記第２蝶板の筒状部には、該複数個の取付穴のいずれか１つに装着される固定桿が設けられることを特徴とする請求項１又は２に記載のストッパー機能付き蝶番。
【請求項４】
前記複数個の取付穴は、前記軸体にその周方向に且つ軸線方向に間隔をおいて設けられ、前記第２蝶板の筒状部に設けられる前記固定桿は、前記複数個の取付穴のいずれか１つに装着されることを特徴とする請求項３に記載のストッパー機能付き蝶番。
【請求項５】
前記軸体には、少なくとも一つの取付穴が設けられ、前記第２蝶板の筒状部には、その周方向に間隔をおいて複数個の挿通穴が設けられ、前記固定桿は、前記複数個の挿通穴のいずれか１つを通して前記取付穴に装着されることを特徴とする請求項１又は２に記載のストッパー機能付き蝶番。
【請求項６】
前記複数個の挿通穴は、前記第２蝶板の前記筒状部にその周方向に且つ軸線方向に間隔をおいて設けられていること特徴とする請求項５に記載のストッパー機能付き蝶番。
【請求項７】
前記軸体には、前記第１蝶板の前記筒状部から上方に突出する突出嵌合部が設けられ、この突出嵌合部に戸当たり部材が取り付けられていることを特徴とする請求項１〜６のいずれかに記載のストッパー機能付き蝶番。
【請求項８】
前記突出嵌合部の外周面には、軸線方向に延びる複数の凹凸嵌合溝が設けられ、前記凹凸嵌合溝に前記戸当たり部材が着脱自在に嵌合されることを特徴とする請求項７に記載のストッパー機能付き蝶番。
【請求項９】
前記戸当たり部材には、ドアを保持するための永久磁石が取り付けられていることを特徴とする請求項７又は８に記載のストッパー機能付き蝶番。
【発明の詳細な説明】
【０００１】
【発明の属する技術分野】
本発明は、家庭、オフィスなどにおいて、建物の構造物に回動自在に取り付けられたドアを開放した際に、そのドアの開放状態を一時的に保持するストッパー機能を備えた蝶番に関する。
【０００２】
【従来の技術】
建造物の部屋などの出入口には、出入口を開閉するためのドアが、蝶番を介して回動自在に取り付けられている。このドアには、開放したときにその開放状態を一時的に保持するためのドアストッパーが取り付けられ、このようなドアストッパーとして種々のものが提案されている。
【０００３】
従来のドアストッパーの一例として、例えば、油圧などの機能を備えたドアキャッチャー又はドアクルーザーと呼ばれるドア開閉制御器が知られており、このようなドア開閉制御器はドア上部と建物の構造物との間に取り付けられる。
【０００４】
また、蝶番にドアストッパーを組み込んだものも提案されている。この種のドアストッパーを備えた蝶番の一例では、一対の蝶板を軸支する軸体内にコイルスプリングが軸体の軸線方向に介装され、このコイルスプリングを利用して、ドアが例えば９０度の開度に保持され、それ以外の開度の時には閉状態に自動復帰される（例えば、特許文献１参照）。
【０００５】
さらに、ドアストッパーを備えた蝶番の他の例では、一対の蝶板を回動自在に軸支する軸体にカム機構が設けられ、このカム機構を利用して、ドアが所定の開度に保持される（例えば、特許文献２参照）。
【０００６】
また、従来のドアストッパーの他の例では、永久磁石がドアの下端面と建造物の床面にそれぞれ埋め込まれ、これら永久磁石の相互磁気吸着力を利用して、ドアが開放状態に保持される（例えば、特許文献３参照）。
【０００７】
【特許文献１】実開平７−２１９７１号公報
【特許文献２】登録実用新案第３０５１４６０号
【特許文献３】特開平６−２２１０４５号公報
【発明が解決しようとする課題】
ドアキャッチャー又はドアクルーザーと呼ばれる従来のドアー開閉制御器では、大型で製作コストが高く、また重量が重いので特に室内のドアには不向きである。すなわち、室内のドアは木質系が多く強度的に弱いので、重量物をドア上部で支えることが難しく、また大型なもであるので、ドア上部に取り付けるには意匠的にも抵抗がある。
【０００８】
上記特許文献１の蝶番では、復帰用のコイルバネが蝶番の軸方向に装着されるので、蝶番の縦寸法がかなり長くなり、ドアに取り付けた状態ではドアとの寸法的なバランスが悪い。また、この特許文献１の蝶番では、復帰用コイルバネの調整ができないので、この蝶番をドアに取り付けている最中にドアの重量等の理由により復帰力を変える必要が生じた場合、例えば、強い復帰用コイルバネのバネ力を有する蝶番に変更する必要がある場合、別な蝶番と取り替えねばならず、作業性及びコスト的に問題がある。また、製造メーカにおいても、復帰力の異なる多くの品種をそろえなくてはならず、また需要者も最適な復帰力を有する蝶番を調達しなければならず、それらの作業が煩雑である。
【０００９】
また、上記特許文献２の蝶番では、カムによって所定位置に保持できるが、蝶番を構成する軸体上を上下するカム機構を付加しなければならず、外観上問題である。また、この特許文献２の蝶番は、ドアを復帰させるためのバネ等の復帰機能を有していない。
【００１０】
さらに、上記特許文献３のストッパーでは、ドアの回動軌跡に沿って床面に磁石を埋設しなければならず、その埋設作業が大変である。また、ドア下端面と床面とのギャップが大きいと磁石の吸引力が減少するので、ドアを開放状態に保持するに充分な保持力を得るための工夫が必要である。また、この蝶番では、ドアを完全に開放したときには、一対の磁石の反発力を利用してドア（ドアの取っ手）が壁面に衝突しないように構成されているが、この磁石はドアを回動自在にする蝶番から一番離れたドアの取っ手のある部位に設けられており、それ故に、デザイン的にも問題がある。
【００１１】
本発明の目的は、このような従来の種々のドアストッパーの抱えている課題を解決し、小型、軽量なストッパー機能付き蝶番を提供することである。
本発明の他の目的は、この蝶番をドアの開閉用として取り付けた場合、ドアの復帰用板バネによる復帰力を簡単に調整できるようにしたストッパー機能付き蝶番を提供することである。
【００１２】
【課題を解決するための手段】
本発明のストッパー機能付き蝶番では、一側部に筒状部を有する第１及び第２蝶板と、前記第１及び第２蝶板の前記筒状部に挿通された軸体と、を備えた蝶番において、
前記軸体には復帰用板バネが巻装され、前記復帰用バネの一端部が前記軸体に係着され、その他端部が前記第１蝶板に係着されており、
前記第１蝶板の前記筒状部には押圧手段が取り付けられ、前記押圧手段は常時前記軸体の周面方向に弾力的に押圧され、また前記軸体の周面には係合凹部が設けられており、
前記第１蝶板を前記第２蝶板に対して所定開放角度位置に位置付けると、前記押圧手段の一部が前記軸体の前記係合凹部に係合し、これによって、前記第１蝶板が前記所定開放角度位置に保持されることを特徴とする。
【００１３】
本発明に従えば、第１蝶板が例えばドアに取り付けられ、第２蝶板が例えば建造物側のドア枠体に取り付けられ、このように取り付けると、ドアは蝶番を中心に開閉自在に取り付けられる。押圧手段はドアの回動と連動して回動し、ドアを例えば９０度に開放したときに、この押圧手段の一部が軸体に設けた係合凹部に係合してドアをその開放位置に保持する。このとき、復帰用板バネも同時に圧縮されて弾性復帰力が増す。ドアを閉めるときは、少し閉める方向に手でドアを押してやればよく、このように押すと、押圧手段が係合凹部から外れ、復帰用板バネの弾性復帰力によりドアが閉まる。要するに、ドアを回動自在に支持する蝶番が蝶番機能の他に、ドアを開放位置に保持する開状態保持機能と、ドアを閉まる方向に復帰させるドア復帰機能とを備えている。
【００１４】
また、本発明のストッパー機能付き蝶番では、前記押圧手段は、前記係合凹部に嵌り込むボールと、前記ボールを前記軸体の周面方向に弾性的に押圧する押圧スプリングと、前記押圧スプリングの弾性力を調整する調整ネジと、を含むことを特徴とする。
【００１５】
本発明に従えば、押圧手段のボールが軸体の係合凹部に係合し、押圧スプリングによりこの係合状態が保持されるので、ドアを開放位置に保持することができる。また、調整ネジを緩めたり締め付けたりすることにより、押圧スプリングの押圧力が調整でき、これにより、ボールが係合凹部に係合する係合力、換言すると、ドアを開放位置に保持する保持力を調整することができ、重量の異なる各種ドアであっても最適な係合力を得ることができる。
【００１６】
また、本発明のストッパー機能付き蝶番では、前記軸体には、その周方向に間隔をおいて複数個の取付穴が設けられ、前記第２蝶板の筒状部には、該複数個の取付穴のいずれか１つに装着される固定桿が設けられることを特徴とする。
【００１７】
本発明に従えば、軸体には周方向に間隔をおいて複数個の取付穴が設けられており、一例として、３個の取付穴を設けた場合、これらの取付穴は例えば次のような位置関係に設けられる。第１番目の取付穴に固定桿を取り付けたときには、ドアが９０度開放したときに押圧手段が軸体の係合凹部に係合し、第２番目の取付穴に固定桿を取り付けたときには、ドアが１２０度開放したときに押圧手段がこの係合凹部に係合し、また、第３番目の取付穴に固定桿を取り付けたときには、ドアが１５０度開放したときに押圧手段が上記係合凹部に嵌合するように設けられる。このように取付穴を周方向に複数個設けることにより、ドアを開放状態に保持できる開度（開放位置）を調整することができる。
【００１８】
また、本発明のストッパー機能付き蝶番では、前記複数個の取付穴は、前記軸体にその周方向に且つ軸線方向に間隔をおいて設けられ、前記第２蝶板の筒状部に設けられる前記固定桿は、前記複数個の取付穴のいずれか１つに装着されることを特徴とする。
【００１９】
本発明に従えば、軸体に設けられる複数個の取付穴が軸線方向に分散して設けられるので、複数個の取付穴を軸体の同一周面に設けた場合に比べて軸体の強度低下を抑えることができる。
【００２０】
また、本発明のストッパー機能付き蝶番では、前記軸体には、少なくとも一つの取付穴が設けられ、前記第２蝶板の筒状部には、その周方向に間隔をおいて複数個の挿通穴が設けられ、前記固定桿は、前記複数個の挿通穴のいずれか１つを通して前記取付穴に装着されることを特徴とする。
【００２１】
本発明に従えば、第２蝶板の筒状部に周方向に間隔をおいて複数個の挿通穴が設けられているので、固定桿を挿通する挿通穴を変えることによって、ドアの開度を調整することができる。
【００２２】
また、本発明のストッパー機能付き蝶番では、前記複数個の挿通穴は、前記第２蝶板の前記筒状部にその周方向に且つ軸線方向に間隔をおいて設けられていること特徴とする。
【００２３】
本発明に従えば、第２蝶板の筒状部に設けられる複数個の挿通穴が軸線方向に分散して設けられるので、複数個の挿通穴による筒状部の強度低下を抑えることができる。
【００２４】
また、本発明のストッパー機能付き蝶番では、前記軸体には、前記第１蝶板の前記筒状部から上方に突出する突出嵌合部が設けられ、この突出嵌合部に戸当たり部材が取り付けられていることを特徴とする。
【００２５】
本発明に従えば、押圧手段が軸体の係合凹部に係合してドアをその開放位置に保持するが、この開放位置以外の位置、例えばドアを保持する最高開度（例えば１５０度）よりさらに開方向に開いたとき、このドアが建物の壁面に当たるようになるが、このように戸当たり部材を設けることによって、ドアよりも先に戸当たり部材が壁面に当たり、ドアの壁面への衝突を回避することができる。また、軸体の突出嵌合部に戸当たり部材を取り付けるので、比較的簡単な構造で、外観を損なうことなく戸当たり部材を取り付けることができる。
【００２６】
また、本発明のストッパー機能付き蝶番では、前記突出嵌合部の外周面には、軸線方向に延びる複数の凹凸嵌合溝が設けられ、前記凹凸嵌合溝に前記戸当たり部材が着脱自在に嵌合されることを特徴とする。
【００２７】
本発明に従えば、突出嵌合部に設けられた凹凸嵌合溝に戸当たり部材が着脱自在に嵌合されるので、凹凸嵌合溝との嵌合状態を変えることにより、突出嵌合部に対する戸当たり部材の角度位置を調整することができ、これにより、ドアを停止させる位置を調整することができる。また、この戸当たり部材でもって軸体を回転させることによって、復帰用板バネの復帰弾性力を調整することができる。すなわち、第２蝶板を軸体に装着する前に軸体を回転させることによって、復帰用板バネが圧縮又は弛緩し、それにより復帰バネの復帰弾性力を調整することができる。
【００２８】
さらに、本発明のストッパー機能付き蝶番では、前記戸当たり部材には、ドアを保持するための永久磁石が取り付けられていることを特徴とする。
本発明に従えば、戸当たり部材に永久磁石が設けられているので、鋼鉄製ドアまたは鉄片を設けたドアであれば、永久磁石の磁力によってドアを停止且つ保持することができる。
【００２９】
【発明の実施の形態】
以下、添付図面を参照して、本発明に従うストッパー機能付き蝶番の実施形態について説明する。
第１実施形態
図１〜図４を参照して、第１実施形態のストッパー機能付き蝶番について説明する。図１は本発明のストッパー機能付き蝶番の分解斜視図であり、図２は図１を組み立てた後の蝶番を示す縦断面図であり、図３は図２のＡ−Ａ線による断面図で、図３（ａ）は蝶番が閉じている状態を示し、図３（ｂ）は第１蝶板を９０度開いた状態を示している。図４は軸体を回動すると係合凹部の位置が変化することを説明するための図で、図４（ａ）は第１蝶板が１２０度開いたときの状態を示す、図３に対応する断面図、図４（ｂ）は第１蝶板が１５０度開いたときの状態を示す、図３に対応する断面図ある。
【００３０】
第１実施形態のストッパー機能付き蝶番Ｔは、建物内の例えば廊下から部屋に入る出入口を開閉するドアＤと建物のドア枠体Ｓとの間に装着され、少なくともドアＤの上下のいずれか一つの蝶番にこのストッパー機能付き蝶番Ｔを適用すればよく、例えば、図１０に示すように、破線で囲んだ上側の蝶番に本発明の蝶番Ｔを用いればよいが、これに代えて、下側の蝶番に本発明の蝶番を適用するようにしてもよい。
【００３１】
図示のストッパー機能付き蝶番Ｔは、一対の蝶板１０，１２と、これらを相互に回動自在に支持するための軸体３０とを備えている。一方の蝶板、すなわち第１蝶板１０には、その一側部に筒状部１１が設けられ、また他方の蝶板、すなわち第２蝶板１２には、その一側部に筒状部２１が設けられており、軸体３０は第１及び第２蝶板１０，２０の各筒状部１１，２１に挿通されている。この軸体３０と第１蝶板１０との間には、復帰用板バネ４０が懸架され、その一端部（内周端部）が軸体３０に係着され、その他端部（外周端部）が第１蝶板１０の筒状部１１に係着されている。また、第１蝶板１０の筒状部１１には押圧手段３０が設けられ、軸体３０の周面の所定部位には係合凹部６０が設けられている。この押圧手段３０は、常時、軸体３０の周面方向に弾力的に押圧し、第１蝶板１０が第２蝶板２０に対して所定の角度位置関係に、すなわちドアＤが所定の開放状態になると、押圧手段５０の一部が軸体３０の係合凹部６０に係合して第１蝶板１０がその角度位置（すなわち開放位置）に保持される。
【００３２】
第１蝶板１０は、筒状部１１と共にアルミニウム、アルミニウム合金、鋼鉄などの金属や合成樹脂で一体的に作られ、ドアＤに取り付けるための３つの取付穴１２が設けられている。筒状部１１の内部には中空部１３が形成され、この中空部１３の上半分が小径部１３ａに、その下半分が大径部１３ｂに形成されている。さらに、この小径部１３ａの内径は後述する軸体３０の外径より少し大きく形成され、第１蝶板１０がこの軸体３０の周りを回動できるように構成される。また、大径部１３ｂの周側面には、この大径部１３ｂ内に収納される復帰用板バネ４０の端部（外周端部）が係着されるスリット状の係着溝１４が縦方向に設けられている。
【００３３】
第２蝶板２０は、筒状部２１と共にアルミニウム、アルミニウム合金、鋼鉄などの金属や合成樹脂で一体的に作られて、ドア枠体Ｓに取り付けるための３つの取付穴２２が設けられている。筒状部２１の軸心には軸体３０を挿通する軸穴２３が貫通して設けられ、また外周面からこの軸穴２３に達する複数個の挿通穴２４ａ，２４ｂ，２４ｃが軸線方向（図１において上下方向）に間隔をおいて設けられている。挿通穴２４ａ，２４ｂ，２４ｃには、これらのいずれか一つに取付ネジからなる固定桿１が取り付けられている。
【００３４】
軸体３０は、第１及び第２蝶板１０，２０と同様な材質、あるいは摩耗しにくい硬質材料で作られている。この軸体３０の中央部分には、復帰用板バネ４０の端部４１（内周端部）が係着されるスリット溝３１が縦方向（図１及び図２において上下方向）に設けられ、また、軸体３０の下部には、軸線方向（図１及び図２において上下方向）に且つその周方向にずらして複数個（この形態では３個）の取付穴３２ａ，３２ｂ，３２ｃが間隔をおいて設けられている。これら取付穴３２ａ，３２ｂ，３２ｃは、第２蝶板２０の筒状部２１に設けた挿通穴２４ａ，２４ｂ，２４ｃに対応して設けられ、例えば挿通穴２４ａ（又は２４ｂ，２４ｃ）に取り付けられた固定桿１が、軸体３０の対応する取付穴３２ａ（又は３２ｂ，３２ｃ）にネジ込まれ、このようにして第２蝶板２０が軸体３０に軸着される。さらに、軸体３０の上端面にはマイナスドライバーを挿入する溝３３が設けられている。この溝３３にドライバーの先端部を挿入して軸体３０を回動させることができ、このように回動させて後述するように、第１蝶板１０の開度及び復帰用板バネ４０の弾性復帰力を調整することができる。
【００３５】
この実施形態では、係合凹部６０は、軸体３０の上部で且つ複数個の取付穴のうち一番上に設けた取付穴２４ａの延長線上と一致する位置に設けられ、後述するように、押圧手段５０の一部がこの係合凹部６０に離脱可能に係合される。
【００３６】
押圧手段５０は、第１蝶板１０の筒状部１１の上部で、且つ外周面から中空部１３の小径部１３ａに達するように設けられた横穴５１内に配設されている。図示の押圧手段５０は、係合凹部６０に嵌り込むボール５２と、このボール５２を小径部１３ａ方向（換言すると、小径部１３ａ内を挿通している軸体３０の周面方向）に弾力的に押圧する押圧スプリング５３と、この押圧スプリング５３の弾性力を調整する調整ネジ５４と、から構成されている。調整ネジ５４を締め付ける（又は緩める）と、押圧スプリング５３の圧縮量が大きく（又は小さく）なり、これによって、圧縮スプリング５３による圧縮力が増大（又は減少）する。
【００３７】
復帰用板バネ４０は、軸体３０に巻装され、その一端部（内周端部）が軸体３０のスリット溝３１に挿入系着され、その他端部（外周端部）が第１蝶板１０の筒状部１１の係着溝１４に係着される。この復帰用板バネ４０は、その弾発力により、第１蝶板１０、すなわちドアＤを開放位置から閉じる方向に弾性的に復帰させる働きをする。
【００３８】
第１実施形態の蝶番の組立てについて説明すると、次の通りである。まず、ボール５２、押圧スプリング５３及び調整ネジ５４からなる押圧手段５０を、第１蝶板１０の筒状部１１の横穴５１に装着する。次に、軸体３０に復帰用板バネ４０を巻装し、その一端部４１を軸体３０のスリット溝３１に挿入して係着する。そして、この状態で軸体３０を第１蝶板１０の筒状部１１の中空部１３に挿通すると共に、復帰用板バネ４０の他端部４２を第１蝶板１０の筒状部１１のスリット状の係着溝１４に挿入して係着する。
【００３９】
次いで、第２蝶板２０を軸体３０に装着する。すなわち、筒状部２１の軸穴２３に軸体３０を通し、その後、軸体３０の複数個の取付穴のうち例えば一番上にある取付穴３２ａに、筒状部２１に設けた一番上の挿通穴２４ａを一致させ、この状態で固定桿１を挿通穴２４ａを通して取付穴３２ａに螺着し、かく螺着すると、第２蝶板２０と軸体３０とが一体化される。従って、図１０に示すように、このように組み立てられた第２蝶板２０を建物のドア枠体Ｓに、また第１蝶板１０をドアＤに取り付けることにより、この蝶番Ｔを介してドアＤがドア枠体Ｓに回動自在に支持される。
【００４０】
この蝶番Ｔの復帰用板バネ４０の弾性復帰力の調整について説明する。この形態では、軸体３０の例えば取付穴３２ａに固定桿１を螺着する前に、ドライバー（図示せず）を軸体３０の溝３３に挿入して軸体３０を時計方向（又は反時計方向）に回動すると、復帰用板バネ４０は圧縮され（又は弛緩され）て弾発力、すなわち弾性復帰力が強く（又は弱く）なり、このように軸体３０を回動させることによって、復帰用板バネ４０の弾性復帰力を調整することができ、このようにして最適な復帰力に設定した後、軸体３０の取付穴３２ａに固定桿１が螺着され、かくして両者が所要の通りに固定される。
【００４１】
この実施形態では、一番上の取付穴３２ａと一番上の挿通穴２４ａを一致させて蝶番Ｔを組み立てた場合、図３に示すように、ドアＤ側に取り付けた第１蝶板１０（換言すると、ドアＤ）が９０度開放されると、押圧手段５０のボール５２が係合凹部６０に嵌り込み、ドアＤがその開放位置に停止保持される。図３（ａ）は第１蝶板１０（ドアＤ）を閉じた状態を示しており、このときには、係合凹部６０はボール５２から周方向に９０度ずれた位置に位置する。この状態から第１蝶板１０を開放し、図３（ｂ）に示すように９０度開放すると、押圧手段５０のボール５２が係合凹部６０に嵌り込み、ボール５２が係合凹部６０に係合した状態で、第１蝶板１０（ドアＤ）がこの開放位置に保持される。
【００４２】
このドアＤを閉めるときは、ドアＤを閉方向に押せばよい。かくすると、押圧スプリング５３の押圧力に抗して、ボール５２と係合凹部６０との係合状態が解除され、開放状態のドアＤは、復帰用板バネ４０の弾性復帰力により閉方向に回動して閉じられ、図３（ａ）に示す位置に復帰する。
【００４３】
例えば、２番目の取付穴３２ｂと２番目の挿通穴２４ｂを固定桿１で固定すると、図４（ａ）にように、係合凹部６０の位置が１番目の取付穴３２ａに固定したときよりも遠くなり、第１蝶板１０（ドアＤ）を例えば１２０度開放すると、凹圧手段５０のボール５２が係合凹部６０に嵌り込むようになる。これは、軸体３０に設けた２番目の取付穴３２ｂが１番目の取付穴３２ａより右方にずれて設けられているためである、
同様に、例えば、３番目の取付穴３２ｃと３番目の挿通穴２４ｃを固定桿１で固定すると、図４（ｂ）に示すように、第１蝶板１０（ドアＤ）を例えば１５０度に開放すると、ボール５２が係合凹部６０に嵌り込み、この開度位置に保持することができる。
【００４４】
ドアＤが重い（又は軽い）場合は、固定桿１を取付穴３２と挿通穴２４から取り外し、第２蝶板２０を回動自在な状態に保ち、この状態にて、軸体３０をドライバーで時計方向（又は反時計方向）に回動して復帰用板バネ４０を締め（又は緩め）、この板バネ４０による弾性復帰力が大きく（又は小さく）なるように調整すればよい。
【００４５】
第２実施形態
次に、本発明の第２実施形態を図５及び図６に基づき説明する。以下の実施形態において、第１実施形態と同じ機能を有するものは同じ符号を付し、その説明を省略する。
【００４６】
この第２実施形態では、押圧手段５０のボール５２及び押圧スプリング５３を横穴５１に装着するためにカバー２が設けられ、また戸当たり部材７０が軸体３０の上部に設けられている。
【００４７】
図５及び図６において、第１実施形態では、ボール５２と押圧スプリング５３の装着に調整ネジ５４を用いていたが、この調整ネジ５４に代えてカバー２が用いられている。このカバー２は、第１蝶板１０の筒状部１１の上部に被嵌され、ボール５２と押圧スプリング５３を筒状部１１の横穴５１内に保持したものである。この場合、ボール５２の押圧力の調整は、弾性押圧力が異なる押圧スプリング５３と交換することにより行われる。
【００４８】
また、この第２の形態では、軸体３０の軸線方向の長さが長くなっており、その一端部（上端部）が第１蝶板１０の筒状部１１及びカバー２から上方に突出している。そして、この突出した軸体１０の一端部、すなわち突出嵌合部３の外周面に凹凸嵌合溝３ａが設けられ、これら凹凸嵌合溝３ａは軸体３０の軸線方向に延びている。戸当たり部材７０には、上記凹凸嵌合溝３ａに嵌合する凹凸嵌合孔７１が設けられ、かかる凹凸嵌合孔７１が凹凸嵌合溝３ａに着脱自在に嵌合される。この戸当たり部材７０を利用して軸体３０を回動することができ、軸体３０を回動して係合凹部６０の位置、及び復帰用板バネ４０の弾性復帰力を調整することができる。また、この戸当たり部材７０には支持板７２を介してストッパー７３が取り付けられている。従って、ドアＤを例えば１５０度以上に開放しようとすると、ドアＤが建物の壁面に当接する前にこのストッパー７３が建物の壁面などに当たり、これによりドアＤの回動が停止し、ドアＤが壁面などに当接するのを回避することができる。そのような位置関係となるように、戸当たり部材７０が軸体３０の突出嵌合部３に取り付けられる。
【００４９】
尚、ストッパー７３を永久磁石から構成するようにしてもよい。このように構成した場合、ドアＤ自体が鋼鉄製ものから構成されたり、鉄片などの磁性材料が取り付けられたドアが用いられ、永久磁石の磁力でもって、ドアＤをストップさせることができると同時に、ドアＤをその開放位置に磁気的に保持することができる。
【００５０】
第３実施形態
次いで、本発明の第３実施形態の蝶番を、図７に基づき説明する。第３実施形態では、第２蝶板２０の筒状部２１に設けた挿通穴２４ａ，２４ｂ，２４ｃが筒状部２１の周方向に且つ軸線方向にずらして設けられている。この場合、軸体３０の取付穴３２ａ，３２ｂ，３２ｃは、軸体３０の長手方向、すなわち軸線方向に間隔をおいて一直線状に設けられる。このように構成しても、上述したと同様の作用効果が達成される。
【００５１】
第４実施形態
次に、本発明の第４実施形態の蝶番を、図８に基づき説明する。第４実施形態では、軸体３０に一つの取付穴３２ａが設けられる一方、第２蝶板２０の筒状部２１には周方向に間隔をおいて複数個の挿通穴２４ａ，２４ｂ，２４ｃが設けられ、複数個の挿通穴２４ａ，２４ｂ，２４ｃのいずれか１つと取付穴３２ａとが固定桿１で連結される。このように構成しても、上述したと同様の作用効果が達成される。
【００５２】
第５実施形態
次いで、本発明の第５実施形態の蝶番を、図９に基づき説明する。第５実施形態では、軸体３０に複数個の取付穴３２ａ，３２ｂ，３２ｃが軸体３０の周方向に間隔をおいて設けられる一方、第２蝶板２０の筒状部２１には一つの挿通穴２４ａが設けられている。このように構成しても妖術したと同様の作用効果が達成される。
【００５３】
以上、本発明に従うストッパー機能付き蝶番の各種実施形態について説明したが、本発明はかかる実施形態に限定されるものではなく、本発明の範囲を逸脱することなく種々の変形ないし修正が可能である。
【００５４】
例えば、押圧手段５０と係合凹部６０との位置関係については、押圧手段５０を第１蝶板１０の筒状部１１に、また係合凹部６０を軸体３０に、それぞれ、１８０度離れたところに２カ所設けたり、または９０度毎に４カ所設けたりすることもできる。さらに、軸体３０に設けた取付穴３２ａ，３２ｂ，３２ｃと第２蝶板２０の筒状部２１に設けた挿通穴２４ａ，２４ｂ，２４ｃの関係についても、２カ所又は４カ所以上設けるようにしてもよく、また、ドアＤを開放状態に保持する角度についても、実施形態では９０度、１２０度及び１５０度に設定しているが、これらの角度に限定されず、１１０度、１３５度などの適宜の角度に設定することができる。
【００５５】
【発明の効果】
本発明の請求項１のストッパー機能付き蝶番によれば、押圧手段がドアの回動と連動して回動し、ドアを所定角度開放したときに、押圧手段の一部が軸体に設けた係合凹部に係合するので、ドアをこの開放状態に保持することができる。また、ドアを閉めるときは、少し閉める方向に手でドアを押してやればよく、このように押すと、押圧手段が係合凹部から外れ、復帰用板バネの弾性復帰力によりドアが閉方向に回動し、出入口を閉めることができる。
【００５６】
本発明の請求項２のストッパー機能付き蝶番によれば、押圧手段のボールが軸体の係合凹部に係合するので、ドアを開放位置に保持することができる。また、調整ネジを緩めたり締め付けたりすることにより、押圧スプリングの押圧力を調整することができ、これにより、ボールが係合凹部に係合する係合力、換言すると、ドアを開放位置に保持する保持力を調整することができる。
【００５７】
また、本発明の請求項３のストッパー機能付き蝶番によれば、軸体には周方向に間隔をおいて複数個の取付穴が設けられているので、ドアを開放状態に保持できる開度（開放位置）を調整することができる。
【００５８】
また、本発明の請求項４のストッパー機能付き蝶番によれば、軸体に設けられる複数個の取付穴が軸線方向に分散して設けられるので、複数個の取付穴を軸体の同一周面に設けた場合に比べて軸体の強度低下を抑えることができる。
【００５９】
また、本発明の請求項５のストッパー機能付き蝶番によれば、第２蝶板の筒状部に周方向に間隔をおいて複数個の挿通穴が設けられているので、固定桿を挿通する挿通穴を変えることによって、ドアの開度を調整することができる。
【００６０】
本発明に従えば、軸体に設けられる複数個の取付穴が軸線方向に分散して設けられるので、複数個の取付穴を軸体の同一周面に設けた場合に比べて軸体の強度低下を抑えることができる。
【００６１】
また、本発明の請求項６のストッパー機能付き蝶番によれば、第２蝶板の筒状部に設けられる複数個の挿通穴が軸線方向に分散して設けられるので、複数個の挿通穴による筒状部の強度低下を抑えることができる。
【００６２】
また、本発明の請求項７のストッパー機能付き蝶番によれば、ドアを大きく開放すると、このドアよりも先に戸当たり部材が壁面に当たり、ドアの壁面への衝突を回避することができる。また、軸体の突出嵌合部に戸当たり部材を取り付けるので、比較的簡単な構造で、外観を損なうことなく戸当たり部材を取り付けることができる。
【００６３】
また、本発明の請求項８のストッパー機能付き蝶番によれば、軸体の突出嵌合部に設けられた凹凸嵌合溝に戸当たり部材が着脱自在に嵌合されるので、凹凸嵌合溝との嵌合状態を変えることにより、突出嵌合部に対する戸当たり部材の角度位置を調整することができ、これにより、ドアを停止させる位置を調整することができる。また、この戸当たり部材でもって軸体を回転させることによって、復帰用板バネの復帰弾性力を調整することができる。
【００６４】
さらに、本発明の請求項９のストッパー機能付き蝶番によれば、戸当たり部材に永久磁石が設けられているので、鋼鉄製ドアまたは鉄片を設けたドアであれば、永久磁石の磁力によってドアを停止且つ保持することができる。
【図面の簡単な説明】
【図１】本発明のストッパー機能付き蝶番の第１の実施形態を分解して示す分解斜視図である。
【図２】図１の蝶番を組み立てた状態で示す縦断面図である。
【図３】図２のＡ−Ａ線による断面図で、図３（ａ）は蝶番が閉じている状態を示す断面図であり、図３（ｂ）は９０度開いたときの状態を示す断面図である。
【図４】軸体の回動による係合凹部との位置関係の変化を説明する、図３に対応する断面図で、図４（ａ）は第１蝶板が１２０度開いたときの状態を示す断面図であり、図４（ｂ）は第１蝶板が１５０度開いたときの状態を示す断面図である。
【図５】本発明の第２実施形態のストッパー機能付き蝶番を示す分解斜視図である。
【図６】図５の蝶番の組み立てた状態を示す斜視図である。
【図７】本発明の第３実施形態のストッパー機能付き蝶番を示す分解斜視図である。
【図８】本発明の第４実施形態のストッパー機能付き蝶番の要部を示す分解図である。
【図９】本発明の第５実施形態のストッパー機能付き蝶番の要部を示す分解図である。
【図１０】本発明に従うストッパ付き蝶番を取り付けたドアと建物との関係を示す簡略斜視図でる。
【符号の説明】
Ｓ　ドア枠体
Ｄ　ドア
Ｔ　蝶番
１　固定桿
２　カバー
３　突出嵌合部
３ａ　凹凸嵌合溝
１０　第１蝶板
１１　筒状部
１２　取付穴
１３　中空部
２０　第２蝶板
２１　筒状部
２２　取付穴
２３　軸穴
２４ａ，２４ｂ，２４ｃ　挿通穴
３０　軸体
３２ａ，３２ｂ，３２ｃ　取付穴
４０　復帰用板バネ
５０　押圧手段
５２　ボール
５３　押圧スプリング
５４　調整ネジ
６０　係合凹部
７０　戸当たり部材
７１　凹凸嵌合部
７３　ストッパー
【図１】
2004108110.tif 000003
【図２】
2004108110.tif 000004
【図３】
2004108110.tif 000005
【図４】
2004108110.tif 000006
【図５】
2004108110.tif 000007
【図６】
2004108110.tif 000008
【図７】
2004108110.tif 000009
【図８】
2004108110.tif 000010
【図９】
2004108110.tif 000011
【図１０】
2004108110.tif 000012